(57)【要約】      （修正有）【課題】新生児（乳幼児）や幼児が排泄する便の漏れを便溜め部によって抑制することができるとともに、装着感が悪くない使い捨ておむつを提供する。【解決手段】おむつ本体１０とサイドフラップ部３１，３２とで構成され、背側胴回り部４に設けられた係止材６と、腹側胴回り部２に設けられたターゲットシート７とを備えたテープ固定式の使い捨ておむつ１において、おむつ本体１０が備える吸収体１２には、長手方向Ｙの中央部Ｃを跨ぐ部位の吸収体、又は長手方向Ｙの中央部Ｃを腹側端縁とする部位の吸収体が取り除かれた吸収体不存在部２１があるとともに、その吸収体不存在部２１の長手方向Ｙを収縮して吸収体不存在部２１を折り返す収縮部材２０が設けられている。装着時には、少なくとも吸収体不存在部２１が長手方向Ｙに２重となるよう折り返されて便溜め部２０が形成され、その便溜め部２０は、前記２重の吸収体不存在部２１を含んで３重となっている。【選択図】図１
2018130201.tif 000002
【特許請求の範囲】
【請求項１】
腹側胴回り部と股間部と背側胴回り部とを有するおむつ本体と、該おむつ本体の前記腹側胴回り部及び前記背側胴回り部に設けられたサイドフラップ部とで構成され、前記背側胴回り部に設けられた係止材と、前記腹側胴回り部に設けられて前記係止材が係止されるターゲットシートとを備えたテープ固定式の使い捨ておむつにおいて、
前記おむつ本体は、身体側に配置される透液性トップシートと、該透液性トップシートの非身体側に配置され、かつ幅方向中央に沿って長手方向に延在する吸収体と、該吸収体の非身体側に配置される不透液性シートと、前記吸収体の幅方向側部に沿って長手方向に延在し、身体側に向かって立設する立体ギャザーとを有し、
前記吸収体には、前記長手方向の中央部を跨ぐ部位の吸収体、又は前記長手方向の中央部を腹側端縁とする部位の吸収体が幅方向全体にわたって取り除かれた吸収体不存在部があるとともに、該吸収体の長手方向を収縮して前記吸収体不存在部を折り返す収縮部材が設けられており、
装着時には少なくとも前記吸収体不存在部が長手方向に２重となるよう折り返されて便溜め部が形成され、該便溜め部は、前記２重の吸収体不存在部を含んで３重となっている、ことを特徴とする使い捨ておむつ。
【請求項２】
前記便溜め部は、
前記吸収体不存在部の中央部で前記長手方向の腹側の方向に折り返された後、前記折り返された折り返し点よりも長手方向背側の吸収体不存在部端部を起点として長手方向背側の方向に折り返されて形成されて３重となっている、又は、
前記吸収体不存在部の腹側端縁で前記長手方向の腹側の方向に折り返された後、前記折り返された前記吸収体不存在部の中央部を起点として長手方向背側の方向に折り返されて形成されて３重となっている、請求項１に記載の使い捨ておむつ。
【請求項３】
前記収縮部材が、前記吸収体の長手方向のうち前記吸収体不存在部の腹側と背側の位置に設けられている、請求項１又は２に記載の使い捨ておむつ。
【請求項４】
前記収縮部材が収縮テープであって、該収縮テープが前記透液性トップシートの身体側にあって、前記立体ギャザーの吸収体側の根元に設けられている、請求項１〜３のいずれか１項に記載の使い捨ておむつ。
【請求項５】
前記折り返されて３重になっている便溜め部は、２重の前記吸収体不存在部と、１重の吸収体とで構成されている、請求項１〜４のいずれか１項に記載の使い捨ておむつ。
【請求項６】
前記吸収体不存在部が、前記吸収体のうち前記長手方向の中央部を腹側端縁とする部位に設けられている、請求項１〜５のいずれか１項に記載の使い捨ておむつ。
【請求項７】
前記吸収体不存在部が、前記吸収体のうち前記長手方向の中央部を跨ぐ部位に設けられている、請求項１〜５のいずれか１項に記載の使い捨ておむつ。
【発明の詳細な説明】
【技術分野】
【０００１】
本発明は、便溜め部を有する使い捨ておむつに関する。さらに詳しくは、新生児（乳幼児）や幼児が排泄する便の漏れを便溜め部によって抑制することができるとともに、装着感が悪くない使い捨ておむつに関する。
【背景技術】
【０００２】
従来、便溜めを有する使い捨ておむつが提案されている。例えば、特許文献１に記載の使い捨ておむつでは、その内面側にはおむつの前後方向において互いに離間対向する一対のクッション性パッド部材が取り付けられているとともに、おむつの幅方向におけるこれらパッド部材の両側部分には前記前後方向へ互いに離間並行して延びる一対の側部シートが取り付けられている。そのパッド部材は、おむつの内面側において隆起しているものであり、その内面側にはこれら一対のパッド部材と一対の側部シートとによって、おむつ着用者の肛門に向かって開口する便溜めが形成されている。
【０００３】
しかし、そのパッド部材は、おむつの内面側において隆起を形成するように使用するものであるため、パッド部材が厚くなるほどおむつ内面側の凹凸が顕著になって、おむつが肌に対して滑らかに接触することが難しくなる。そのようなおむつは、着用者の肌を局部的に強く押圧することがあるので、着用感が悪くなるという難点があった。
【０００４】
特許文献２は、便溜めの深さを深くしてもおむつの着用感が悪くならないような使い捨ておむつの提供を課題として提案されたものである。この使い捨ておむつは、股下域の内面側には、両側縁部の脚周り弾性部材の間にあって幅方向へ所要寸法離間して、前後方向へ弾性的に収縮可能に並行して延びるとともに、中間域と交差する一対の収縮手段が設けられている。その収縮手段が収縮すると、股下域では、中間域近傍が内面側を凹とするように収縮手段の下方で前後方向へ局部的に折曲されて、一対の収縮手段の間に開口を有する便溜めが形成される。
【先行技術文献】
【特許文献】
【０００５】
【特許文献１】特開２００１−２２４６２８号公報
【特許文献２】特開２００７−２７５２９８号公報
【発明の概要】
【発明が解決しようとする課題】
【０００６】
特許文献２のおむつでは、便溜め部からパルプやポリマーを含む吸収体を除去しておらず、収縮手段の収縮によって便溜め部が形成された際に、吸収体の設置部位が３重に重なり、赤ちゃんが寝たり座ったりした際に、便溜め部が赤ちゃんのお尻の下に隆起した状態となり、装着感の悪化に繋がるおそれがある。
【０００７】
本発明は、上記課題を解決するためになされたものであって、その目的は、新生児（乳幼児）や幼児が排泄する便の漏れを便溜め部によって抑制することができるとともに、装着感が悪くない使い捨ておむつを提供することにある。
【課題を解決するための手段】
【０００８】
（１）本発明に係る使い捨ておむつは、腹側胴回り部と股間部と背側胴回り部とを有するおむつ本体と、該おむつ本体の前記腹側胴回り部及び前記背側胴回り部に設けられたサイドフラップ部とで構成され、前記背側胴回り部に設けられた係止材と、前記腹側胴回り部に設けられて前記係止材が係止されるターゲットシートとを備えたテープ固定式の使い捨ておむつにおいて、
前記おむつ本体は、身体側に配置される透液性トップシートと、該透液性トップシートの非身体側に配置され、かつ幅方向中央に沿って長手方向に延在する吸収体と、該吸収体の非身体側に配置される不透液性シートと、前記吸収体の幅方向側部に沿って長手方向に延在し、身体側に向かって立設する立体ギャザーとを有し、
前記吸収体には、前記長手方向の中央部を跨ぐ部位の吸収体、又は前記長手方向の中央部を腹側端縁とする部位の吸収体が幅方向全体にわたって取り除かれた吸収体不存在部があるとともに、該吸収体の長手方向を収縮して前記吸収体不存在部を折り返す収縮部材が設けられており、
装着時には少なくとも前記吸収体不存在部が長手方向に２重となるよう折り返されて便溜め部が形成され、該便溜め部は、前記２重の吸収体不存在部を含んで３重となっている、ことを特徴とする。
【０００９】
この発明のテープ固定式の使い捨ておむつにおいて、吸収体には、長手方向の中央部を跨ぐ部位の吸収体、又は長手方向の中央部を腹側端縁とする部位の吸収体が幅方向全体にわたって取り除かれた吸収体不存在部がある。そして、吸収体の長手方向を収縮して吸収体不存在部を折り返す収縮部材が設けられている。こうした吸収体不存在部と収縮部材により、吸収体不存在部が長手方向に折り返されて３重となったポケット形状の便溜め部が形成される。ポケット形状の便溜め部は、例えば赤ちゃんが寝ている状態で排便した場合であっても便を収容しやすく、便漏れを抑制することができる。特に新生児（乳幼児）の軟便であっても、そのポケット形状で堰き止められて軟便等の漏れを抑制することができる。さらに、折り返された便溜め部は、吸収体不存在部を有するので、吸収体の重なりによる嵩張りがなく、装着感の悪化を防ぐことができる。なお、吸収体不存在部は長手方向の中央部を跨ぐ部位又は長手方向の中央部を腹側端縁とする部位に配置されているので、未使用時には折り返された便溜め部は存在しないが、装着時には便溜め部が背側胴回り部の非身体側に突出したポケット形状となる。
【００１０】
（２）本発明に係る使い捨ておむつにおいて、前記便溜め部は、
前記吸収体不存在部の中央部で前記長手方向の腹側の方向に折り返された後、前記折り返された折り返し点よりも長手方向背側の吸収体不存在部端部を起点として長手方向背側の方向に折り返されて形成されて３重となっている、又は、
前記吸収体不存在部の腹側端縁で前記長手方向の腹側の方向に折り返された後、前記折り返された前記吸収体不存在部の中央部を起点として長手方向背側の方向に折り返されて形成されて３重となっている。
【００１１】
この発明によれば、便溜め部は少なくとも吸収体不存在部が長手方向に２重となるよう折り返されているが、その便溜め部は、上記２形態のいずれかで形成されて３重になっている。その結果、例えば赤ちゃんが寝ている状態で排便した場合であっても便を収容しやすく、便漏れを抑制することができる。
【００１２】
（３）本発明に係る使い捨ておむつにおいて、前記収縮部材が、前記吸収体の長手方向のうち前記吸収体不存在部の腹側と背側の位置に設けられている。
【００１３】
この発明によれば、吸収体の長手方向のうち吸収体不存在部の腹側と背側の位置に収縮部材が設けられているので、吸収体の長手方向を収縮して吸収体不存在部を折り返すことができる。
【００１４】
（４）本発明に係る使い捨ておむつにおいて、前記収縮部材が収縮テープであって、該収縮テープが前記透液性トップシートの身体側にあって、前記立体ギャザーの吸収体側の根元に設けられていることが好ましい。
【００１５】
この発明によれば、収縮テープを、透液性トップシートの身体側にあって、立体ギャザーの吸収体側の根元に設けることにより、その収縮テープの収縮作用によって吸収体不存在部を容易に折り返してポケット形状の便溜め部を容易に形成することができる。
【００１６】
（５）本発明に係る使い捨ておむつにおいて、前記折り返されて３重になっている便溜め部は、２重の前記吸収体不存在部と、１重の吸収体とで構成されていることが好ましい。この発明によれば、装着感が良好な嵩張らない使い捨ておむつとなる。
【００１７】
（６）本発明に係る使い捨ておむつにおいて、前記吸収体不存在部が、前記吸収体のうち前記長手方向の中央部を腹側端縁とする部位に設けられている。この発明によれば、装着時に吸収体不存在部が折り返されてなる便溜め部が、長手方向の中央部を腹側端縁とする部位に設けられるので、背側に流動しやすい軟便を排出する乳幼児に好ましく適用できる。
【００１８】
（７）本発明に係る使い捨ておむつにおいて、前記吸収体不存在部が、前記吸収体のうち前記長手方向の中央部を跨ぐ部位に設けられている。この発明によれば、装着時に吸収体不存在部が折り返されてなる便溜め部が、長手方向の中央部を跨ぐ部位に設けられるので、中央部を跨ぐ部位に溜まりやすい軟便でない普通の便を排出する幼児に好ましく適用できる。
【発明の効果】
【００１９】
本発明によれば、新生児（乳幼児）や幼児が排泄する便の漏れを便溜め部によって抑制することができるとともに、装着感が悪くない使い捨ておむつを提供することができる。
【図面の簡単な説明】
【００２０】
【図１】本発明に係る使い捨ておむつの内面を示す、おむつを展開した状態における平面図である。
【図２】本発明に係る使い捨ておむつの外面を示す、おむつを展開した状態における平面図である。
【図３】図１のＩ−Ｉ線断面図である。
【図４】図１のII−II線断面図である。
【図５】吸収体不存在部の位置関係を示す模式図である。
【図６】収縮部材（収縮テープ）の取り付け状態を示す説明図である。
【図７】折り返された便溜め部の説明図である。
【図８】乳幼児に好ましく適用される場合の収縮部材と吸収体不存在部の設置位置である。
【図９】幼児に好ましく適用される場合の収縮部材と吸収体不存在部の設置位置である。
【図１０】括れ部を有する吸収体を備えた使い捨ておむつの内面を示す、おむつを展開した状態における平面図である。
【図１１】吸収体不存在部が折り返されて便溜め部が形成されている使い捨ておむつの斜視図である。
【発明を実施するための形態】
【００２１】
本発明に係る使い捨ておむつの実施形態について図面を参照しつつ詳説する。本発明は、以下の実施形態に限定されるものではなく、その要部を有する各種の変形例や応用例を含む。
【００２２】
［使い捨ておむつ］
本発明に係る使い捨ておむつ１は、図１及び図１１に示すように、腹側胴回り部２と股間部３と背側胴回り部４とを有するおむつ本体１０と、そのおむつ本体１０の腹側胴回り部２及び背側胴回り部４に設けられたサイドフラップ部５，５とで構成されている。この使い捨ておむつ１は、背側胴回り部４に設けられた係止材６と、腹側胴回り部２に設けられて係止材６が係止されるターゲットシート７とを備えたテープ固定式の使い捨ておむつである。
【００２３】
おむつ本体１０は、図１〜図４に示すように、身体側に配置される透液性トップシート１１と、透液性トップシート１１の非身体側に配置され、かつ幅方向Ｘの中央に沿って長手方向Ｙに延在する吸収体１２と、吸収体１２の非身体側に配置される不透液性シート１３と、吸収体１２の幅方向側部に沿って長手方向に延在し、身体側に向かって立設する立体ギャザー１４とを有している。そして、図５で示すように、その長手方向Ｙに延在する吸収体１２には、長手方向Ｙの中央部Ｃを跨ぐ部位の吸収体、又は長手方向Ｙの中央部Ｃを腹側端縁２４とする部位の吸収体が幅方向全体にわたって取り除かれた吸収体不存在部２１があるとともに、その吸収体１２の長手方向Ｙを収縮して前記吸収体不存在部２１を折り返す収縮部材２２が設けられている。そして、装着時には少なくとも前記吸収体不存在部２１が長手方向Ｙに２重となるよう折り返されて便溜め部２０が形成されている。その便溜め部２０は、前記２重の吸収体不存在部２１を含んで３重となっている。なお、３重になっているのは、図７（Ａ）（Ｂ）に示すように、透液性トップシート１１、中間シート１６、ギャザーシート１５、包装シート１７、吸収体１２、不透液性シート１３、外装シート１８である。
【００２４】
こうした使い捨ておむつ１において、図１及び図１１等に示すように、吸収体１２には、長手方向Ｙの中央部Ｃを跨ぐ部位の吸収体、又は長手方向Ｙの中央部Ｃを腹側端縁２４とする部位の吸収体が幅方向Ｘ全体にわたって取り除かれた吸収体不存在部２１がある。そして、吸収体１２の長手方向Ｙを収縮して吸収体不存在部２１を折り返す収縮部材２２が設けられている。こうした吸収体不存在部２１と収縮部材２２により、吸収体不存在部２１が長手方向Ｙに折り返されて３重となったポケット形状の便溜め部２０が形成される。ポケット形状の便溜め部２０は、例えば赤ちゃんが寝ている状態で排便した場合であっても便を収容しやすく、便漏れを抑制することができる。特に新生児（乳幼児）の軟便であっても、そのポケット形状で堰き止められて軟便等の漏れを抑制することができる。さらに、折り返された便溜め部２０は、吸収体不存在部２１を有するので、吸収体１２の重なりによる嵩張りがなく、装着感の悪化を防ぐことができる。なお、吸収体不存在部２１は長手方向Ｙの中央部Ｃを跨ぐ部位又は長手方向Ｙの中央部Ｃを腹側端縁とする部位に配置されているので、おむつが二つ折りされた未使用時には折り返されてポケット形状になった便溜め部２０は存在しないが、装着時には便溜め部が背側胴回り部の非身体側に突出したポケット形状となる。
【００２５】
以下、使い捨ておむつの主な構成要素を詳しく説明する。
【００２６】
＜おむつ本体＞
おむつ本体１０は、腹側胴回り部２と股間部３と背側胴回り部４とを有するものである。おむつ本体１０の腹側胴回り部２及び背側胴回り部４には、サイドフラップ部５，５が設けられている。おむつ本体１０は、図１〜図４に示すように、身体側に配置される透液性トップシート１１と、透液性トップシート１１の非身体側に配置され、かつ幅方向Ｘの中央に沿って長手方向Ｙに延在する吸収体１２と、吸収体１２の非身体側に配置される不透液性シート１３と、吸収体１２の幅方向側部に沿って長手方向に延在し、身体側に向かって立設する立体ギャザー１４とを有している。
【００２７】
（透液性トップシート）
透液性トップシート１１は、液を透過する性質を有するものであり、例えば、有孔又は無孔の不織布や、多孔性プラスチックシート等を例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維等や、これらから二種以上が使用された混合繊維、複合繊維等を例示することができる。さらに、不織布は、どのような加工によって製造されたものであってもよい。こうした透液性トップシート１１は、１枚のシートからなるものであっても、２枚以上のシートを貼り合せて得た積層シートからなるものであってもよい。同様に、透液性トップシート１１は、平面方向に関して、１枚のシートからなるものであっても、２枚以上のシートからなるものであってもよい。不織布を用いた場合の繊維目付けは１０〜５０ｇ／ｍ２、特に１５〜３０ｇ／ｍ２のものが望ましい。
【００２８】
立体ギャザー１４を設ける場合、透液性トップシート１１の両側縁部は、不透液性シート１３と立体ギャザー１４との間を通して、吸収体１２の非身体側（裏側ともいう。）まで回りこませ、液の浸透を防止するために、不透液性シート１３及び立体ギャザー１４に対してホットメルト接着剤等により接着するのが好ましい。
【００２９】
透液性トップシート１１は、その表面を版押しして、表面形態に凹凸を設けてもよい。凹凸を設けることにより、尿や便をした際の肌への接触面積を少なくすることができる。なお、凹凸の程度は特に限定されないが、おむつのサイズを考慮してその大きさを選択できる。凹凸の形成は、ヒートシール用の凹凸版で版押しして形成でき、通常、その凹凸版は、直径２．７〜９．０ｍｍ程度の円形の凹凸を形成できるものが好ましい。
【００３０】
（中間シート）
透液性トップシート１１を透過した液を速やかに吸収体へ移行させるために、透液性トップシート１１より液の透過速度が速い、中間シート１６（「セカンドシート」とも呼ばれている）を設けることができる。この中間シート１６は、液を速やかに吸収体へ移行させて吸収体による吸収性能を高めるばかりでなく、吸収した液の吸収体からの「逆戻り」現象を防止し、透液性トップシート１１の身体側を常に乾燥した状態とすることができる。中間シート１６は省略することもできる。
【００３１】
中間シート１６としては、透液性トップシート１１と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でもよいが剛性の高いポリエステル（ＰＥＴ）が好ましい。目付けは１５〜８０ｇ／ｍ２、特に１７〜２０ｇ／ｍ２のものが望ましい。図示の形態の中間シート１６の幅方向Ｘの幅長さは、吸収体１２の幅よりも短い幅で幅方向Ｘの中央に配置されているが、幅方向Ｘの全幅にわたって設けてもよい。中間シート１６の長手方向Ｙの長さは、吸収体１２の長手方向Ｙの長さと同一でもよいし、液を受け入れる領域を中心にした短い長さ範囲内であってもよい。
【００３２】
（不透液性シート）
不透液性シート１３の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を例示することができる。不透液性シート１３には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに不透液性としたシートも、不透液性シート１３として用いることができる。
【００３３】
不透液性シート１３は、防漏性を高めるために、吸収体１２の幅方向両側を回りこませて吸収体１２の透液性トップシート１１側面の幅方向両側縁部まで延在させるのが好ましい。また、不透液性シート１３の幅方向Ｘの内側、特に身体側に、液分の吸収により色が変化する排泄インジケータを設けることができる。
【００３４】
（立体ギャザー）
立体ギャザー１４は、図３に示すように、吸収体１２の幅方向側部の両側縁部に沿って長手方向Ｙ（前後方向ともいう。）に延在する帯状部材であり、透液性トップシート１１を伝わって幅方向Ｘに移動する尿や軟便を遮断し、横漏れを防止するために設けられているものである。本実施の形態の立体ギャザー１４は、吸収体１２の側縁部から身体側に向かって起立するように設けられ、付け根側の部分は幅方向Ｘの中央側に向かって斜めに起立し、その部分（中央側に向かって斜めに起立した部分）よりも先端側の部分は幅方向Ｘの外側に向かって斜めに起立するものである。
【００３５】
より詳細には、立体ギャザー１４は、吸収体１２の長手方向Ｙの長さに等しい長さを有する帯状のギャザーシート１５を幅方向に折り返して二つに折り重ねるとともに、折り返し部分及びその近傍のシート間に、細長状弾性伸縮部材５１を長手方向Ｙに伸長状態で、幅方向に間隔をあけて複数本固定してなるものである。立体ギャザー１４のうち先端部と反対側に位置する基端部（幅方向においてシート折り返し部分と反対側の端部）は吸収体１２の側縁部の非身体側面（裏面ともいう。）に固定された取付部分５３とされ、この取付部分５３以外の部分は取付部分５３から突出する突出部分５４（折り返し部分側の部分）とされている。また、突出部分５４は、幅方向の中央側に向かう付け根側部分と、この付け根側部分の先端から幅方向の外側に折り返された先端側部分とからなる。この形態は面接触タイプの立体ギャザーであるが、幅方向の外側に折り返されない線接触タイプの立体ギャザー（図示略）も採用することができる。そして、突出部分５４のうち長手方向Ｙの両端部が倒伏状態で透液性トップシート１１の身体側面に対してホットメルト接着剤やヒートシールにより固定された前後固定部５５とされる一方で、これらの間に位置する長手方向Ｙの中間部は非固定の自由部分とされ、この自由部分に長手方向Ｙに沿う細長状弾性伸縮部材５１が伸長状態で固定されている。
【００３６】
ギャザーシート１５としては、スパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコン等により撥水処理を施したものを好適に用いることができる。繊維目付けは１０〜５０ｇ／ｍ２、特に１１〜１５ｇ／ｍ２のものが望ましい。細長状弾性伸縮部材５１としては糸ゴム等を用いることができる。また、図３に示すように、二つに折り重ねたギャザーシート１５の間に防水フィルム５２を介在させることもできる。
【００３７】
立体ギャザー１４の自由部分に設けられる細長状弾性伸縮部材５１の本数は、２〜６本が好ましく、３〜５本がより好ましい。配置間隔は３〜１０ｍｍが適当である。このように構成すると、細長状弾性伸縮部材５１を配置した範囲で肌に対して面で当たりやすくなる。先端側だけでなく付け根側にも細長状弾性伸縮部材５１を配置してもよい。なお、立体ギャザー１４の取付部分５３の固定対象は、透液性トップシート１１、不透液性シート１３、吸収体１２等適宜の部材とすることができる。
【００３８】
立体ギャザー１４では、細長状弾性伸縮部材５１の収縮力が長手方向Ｙの両端部を近づけるように作用するが、突出部分５４のうち長手方向Ｙの両端部が起立しないように固定されるのに対して、それらの間は非固定の自由部分とされているため、自由部分のみが図３に示すように身体側に起立する。特に、取付部分５３が吸収体１２の非身体側に位置していると、股間部（長手方向Ｙの中央）及びその近傍において立体ギャザー１４が幅方向の外側に開くように起立するため、立体ギャザー１４が脚周りに面で当接するようになり、フィット性が向上するようになる。こうした立体ギャザー１４の寸法は特に限定されず、適宜定めることができる。なお、図示形態と異なり、吸収体１２の左右各側において立体ギャザー１４を二重に（二列）設けることもできる。
【００３９】
（吸収体）
吸収体１２は、図３及び図４に示すように、吸収体１２と、この吸収体１２の全体を包む包装シート１７とを有する。包装シート１７は省略することもできる。
【００４０】
吸収体１２は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。フィラメント集合体の場合、フィラメントは、非捲縮繊維であってもよいが、捲縮繊維であるのが好ましく、均一に捲縮した捲縮繊維を用いる場合が多い。吸収体１２中には高吸収性ポリマー粒子を分散保持させるのが好ましい。繊維目付けとしては、綿状パルプや合成繊維等の短繊維を積繊する場合は、１００〜３００ｇ／ｍ２程度とすることができ、フィラメント集合体の場合は、３０〜１２０ｇ／ｍ２とすることができる。
【００４１】
吸収体１２は、図１等に示すような長方形形状でもよいが、図１０に示すように、前端部、後端部及びこれらの間に位置し、前端部及び後端部と比べて幅が狭い括れ部１２Ａを有する形状を成していてもよい。括れ部１２Ａを有すると、吸収体１２自体と立体ギャザー１４の、脚回りへのフィット性が向上するため好ましい。また、吸収体１２の寸法は適宜定めることができるが、長手方向Ｙ及び幅方向Ｘにおいて、内装体の周縁部又はその近傍まで延在しているのが好ましい。
【００４２】
吸収体１２には、その一部又は全部に高吸収性ポリマー粒子を含有させることができる。高吸収性ポリマー粒子とは、「粒子」以外に「粉体」も含む。高吸収性ポリマー粒子としては、この種の使い捨て紙おむつに使用されるものをそのまま使用でき、例えば５００μｍの標準ふるい（ＪＩＳ  Ｚ８８０１−１：２００６）を用いたふるい分け（５分間の振とう）でふるい上に残る粒子の割合が３０重量％以下のものが望ましく、また、１８０μｍの標準ふるい（ＪＩＳ  Ｚ８８０１−１：２００６）を用いたふるい分け（５分間の振とう）でふるい上に残る粒子の割合が６０重量％以上のものが望ましい。
【００４３】
高吸収性ポリマー粒子の材料としては、特に限定無く用いることができるが、吸水量（ＪＩＳ  Ｋ７２２３−１９９６「高吸水性樹脂の吸水量試験方法」）が４０ｇ／ｇ以上のものが好適である。高吸収性ポリマー粒子としては、でんぷん系、セルロース系や合成ポリマー系等のものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体等のものを用いることができる。高吸収性ポリマー粒子の形状としては、通常用いられる粉粒体状のものが好適であるが、他の形状のものも用いることができる。
【００４４】
必要であれば、高吸収性ポリマー粒子は、吸収体１２の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体１２の平面方向において局所的（例えばスポット状）にポリマーが存在しない部分を設けることもできる。
【００４５】
（包装シート）
包装シート１７を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材等を使用できる。不織布を用いた場合の繊維目付けは１０〜５０ｇ／ｍ２、特に１３〜３０ｇ／ｍ２のものが望ましい。
【００４６】
包装シート１７の包装形態は適宜定めることができるが、製造容易性や長手方向Ｙ及び幅方向Ｘの端縁からの高吸収性ポリマー粒子の漏れ防止等の観点から、吸収体１２の身体側面、非身体側面及び幅方向両側縁面を取り囲むように筒状に巻き付け、且つ長手方向Ｙの縁部を吸収体１２の長手方向Ｙの縁部から食み出させ、この食み出し部分を身体側と非身体側とから潰してホットメルト接着剤等の接合手段により接合する形態が好ましい。
【００４７】
（外装シート）
外装シート１８は、図３及び図４に示すように、おむつ本体１０の最も非身体側（身体側の反対）に設けられている。外装シート１８は、腹側胴回り部２と背側胴回り部４の両方において、吸収体１２の側縁よりも側方に延出するサイドフラップ部３１，３２を有している。また、外装シート１８は、吸収体１２の腹側端縁及び背側端縁よりも延出するエンドフラップ部３３，３４を有している。こうしたサイドフラップ部３１，３２やエンドフラップ部３３，３４は、外装シート１８と一体化しているものでもよし、外装シート１８とは別のシートで形成されているものでもよい。
【００４８】
外装シート１８は、二枚のシート材をホットメルト接着剤等の接着剤により貼り合わせて形成することができる。シート材としては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維等や、これらから二種以上が使用された混合繊維、複合繊維等を例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その繊維目付けは１０〜５０ｇ／ｍ２、特に１５〜３０ｇ／ｍ２のものが望ましい。
【００４９】
外装シート１８の身体側（内面側ともいう。）には、不透液性シート１３がホットメルト接着剤等の接着剤により固定され、さらにこの不透液性シート１３の非身体側には、吸収体１２、中間シート１６及び透液性トップシート１１がこの順に積層されている。なお、透液性トップシート１１及び不透液性シート１３は図示例では長方形であり、吸収体１２よりも長手方向Ｙ及び幅方向Ｘに若干大きくなっており、吸収体１２の側縁よりはみ出る周縁部同士がホットメルト接着剤等により固着されている。また、立体ギャザー１４を構成するギャザーシート１５が、サイドフラップ部３１，３２が所定の位置まで延びた態様で設けられている。
【００５０】
（サイドフラップ部）
サイドフラップ部３１，３２を形成するシートとしては、当該サイドフラップ部３１，３２を外装シート１８で形成する場合はその外装シート１８と同様となるが、外装シート１８とは別のシートで形成する場合は、不織布、プラスチックフィルム、ポリラミ不織布、紙やこれらの複合素材を用いることができ、繊度１．０〜３．５ｄｔｅｘ、目付け２０〜１００ｇ／ｍ２、厚さ１ｍｍ以下のスパンボンド不織布、エアスルー不織布、又はスパンレース不織布が好ましい。これらの素材は、従来、ファスニングテープのシート基材として使用されていたものであり、サイドフラップ部３１，３２の強度を確保することができる。
【００５１】
サイドフラップ部３１，３２のうち、背側胴回り部４のサイドフラップ部３２には係止材６が設けられており、腹側胴回り部２のサイドフラップ部３１にはターゲットシート７が設けられている。係止材６はターゲットシート７に係止する。
【００５２】
係止材６としては、例えば、メカニカルファスナー（面ファスナー）のフック材（雄材）が好適である。フック材は、その表面に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であってもよい。もちろん、係止材６として粘着剤層を設けることもできる。係止材６の大きさは特に限定されないが、長手方向が１０〜５０ｍｍで、幅方向が１０〜３０ｍｍであることが好ましい。
【００５３】
（ターゲットシート）
おむつの装着に際しては、一般的には、背側胴回り部４のサイドフラップ部３２を腹側胴回り部２のサイドフラップ部３１に重ねた状態で、係止材６を腹側胴回り部２に設けられたターゲットシート７に係止する。係止材６が係止するためのターゲットシート７の位置及び寸法は任意に定めることができる。乳幼児用おむつにおいては、係止箇所は、腹側胴回り部２のエンドフラップ部３３から股間部３に向かって、長手方向Ｙに３０〜５０ｍｍで幅方向Ｘに１５０〜２５０ｍｍの矩形形態で幅方向中央に設けられていることが好ましい。その矩形形態の端縁（エンドフラップ部側の端縁）とエンドフラップ部３３の端縁との距離（長手方向Ｙの距離）は５〜３０ｍｍ、特に１０〜２５ｍｍであることが好ましい。
【００５４】
ターゲットシート７は、係止材６がフック材の場合、フック材の係合突起が絡まるようなループ糸がプラスチックフィルムや不織布からなるシート基材の表面に多数設けられたものを用いることができる。また、外装シート１８が不織布からなる場合であって係止材６がフック材の場合には、ターゲットシート７を省略し、フック材を外装シート１８の不織布に絡ませて係止することもできる。不織布を用いる場合、その繊維目付けは２０〜１００ｇ／ｍ２程度のものが望ましい。
【００５５】
係止材６がターゲットシート７に仮係止されることにより、この仮係止状態を利用して使い捨ておむつに脚を通すこと等も可能であり、使い捨ておむつの装着を容易化することができる。
【００５６】
＜便溜め部＞
便溜め部２０は、本発明の特徴的な構成であり、図７及び図１１に示すように、吸収体不存在部２１が折り返されて形成されている。具体的には、便溜め部２０は、装着時の形態として、少なくとも吸収体不存在部２１が長手方向Ｙに２重となるよう折り返されて便溜め部２０が形成されており、その便溜め部２０は、２重の吸収体不存在部２１を含んで３重となっている。ここで、「少なくとも」とは、吸収体不存在部２１の２重部分が含まれていることを意味している。
【００５７】
そうした便溜め部２０は、（ｉ）図７（Ａ）に示すように、吸収体不存在部２１の中央部で長手方向Ｙの腹側の方向に折り返された後、その折り返された折り返し点よりも長手方向Ｙ背側の吸収体不存在部端部２６を起点として長手方向背側の方向に折り返されて形成されて３重となっている、又は、(ii)図７（Ｂ）に示すように、吸収体不存在部２１の腹側端縁２４で長手方向Ｙの腹側の方向に折り返された後、その折り返された吸収体不存在部２１の中央部を起点として長手方向背側の方向に折り返されて形成されて３重となっている。
【００５８】
折り返された便溜め部２０は、図７及び図１１に示すように、折り返された突出形状部が背側胴回り部４の非身体側に突出したポケット形状になっているので、新生児（乳幼児）の軟便や幼児の便がそのポケット形状で堰き止められて漏れるのを抑制することができる。なお、未使用時の使い捨ておむつが図６に示すように長手方向（前後方向）Ｙで畳まれている場合は、吸収体不存在部２１は未だ折り返されておらず、折り返された便溜め部２０は未だ存在しないが、装着時には後述の収縮部材２２の作用によって吸収体不存在部２１が折り返され、図７や図１１に示すように、折り返された突出形状部が背側胴回り部４の非身体側に突出したポケット形状となる。
【００５９】
便溜め部２０は、図７に示すように、折り返されて３重になっている。３重構造は、２重の吸収体不存在部２１と、１重の吸収体１２とで構成されていればよく、その結果、装着感が良好な嵩張らない使い捨ておむつとなる。なお、２重の吸収体不存在部２１は、図７（Ａ）に示すように身体側から２重になっていてもよいし、図７（Ｂ）に示すように非身体側から２重になっていてもよい。便溜め部２０の寸法は、長手方向（前後方向）Ｙの重なり長さとしては２０〜５０ｍｍ程度であればよい。なお、幅方向Ｘの長さは、吸収体１２の幅と同じ１００〜１２０ｍｍ程度となる。
【００６０】
吸収体不存在部２１は、長手方向Ｙに延在する吸収体１２のうち、吸収体の構成材料が幅方向Ｘ全体にわたって取り除かれた部分のことである。この吸収体不存在部２１の位置は、図５に示すように、長手方向Ｙの中央部Ｃ又は中央部Ｃから背側位置Ｂに配置されている。吸収体１２の前後方向Ｙの途中に存在する吸収体不存在部２１では、吸収体１２が存在しないので、吸収体１２を覆う包装シート１７同士が直に貼り合わされている。
【００６１】
吸収体不存在部２１は四角形の矩形形状であることが好ましく、その寸法は、長手方向（前後方向）Ｙの長さとしては２０〜５０ｍｍ程度であればよく、幅方向Ｘの長さとしては、吸収体１２の幅と同じ１００〜１２０ｍｍ程度であればよい。こうした長さの吸収体不存在部２１とすることにより、上記した寸法の便溜め部２０を構成することができる。
【００６２】
吸収体不存在部２１が設けられる位置は、図５に示すように、吸収体１２のうち、長手方向Ｙの中央部Ｃを跨ぐ部位、又は長手方向Ｙの中央部Ｃを腹側端縁２４とする部位から背側に延びた位置Ｂまでの部位である。長手方向Ｙの中央部Ｃを腹側端縁２４とする部位から背側に延びた位置Ｂまでの部位への配置としては、例えば後述の図８に示すように、おむつ本体１０の長手方向Ｙの中央部Ｃを吸収体不存在部２１の端部（腹側端縁２４）とし、その腹側端縁２４から背側に延びた位置Ｂまでの間に設けることができる。一例としては、長手方向Ｙの長さが例えば５０ｍｍの吸収体不存在部２１を設ける場合、その５０ｍｍの吸収体不存在部２１を長手方向Ｙの中央部Ｃから背側の位置Ｂまでの間に配置することができる。他の一例（図示しない）としては、長手方向Ｙの中央部Ｃに例えば長さ５０ｍｍの吸収体不存在部２１の一部が架かるように設け、それ以外の吸収体不存在部２１は背側に延びた位置Ｂまで設けてもよい。一方、長手方向Ｙの中央部Ｃを跨ぐ部位への配置としては、例えば後述の図９に示すように、おむつ本体１０の長手方向Ｙの中央部Ｃを吸収体不存在部２１の中心とするように設けることができる。なお、吸収体不存在部２１の設置位置は、使い捨ておむつの使用者の年齢等に応じ、図５中の矢印で表すように必要に応じて中央部Ｃを超えて跨いでもよいし、背側の位置Ｂが長手方向Ｙにシフトしてもよい。
【００６３】
＜収縮部材＞
収縮部材としては、スパンボンド不織布（ＳＳ、ＳＳＳ等）やＳＭＳ不織布（ＳＭＳ、ＳＳＭＭＳ等）に、ポリエチレンやポリプロピレン等のオレフィン系樹脂等からなるプラスチックフィルムを貼り合せた素材を用いることができる。繊維目付けは２０〜５０ｇ／ｍ２、特に３０〜４０ｇ／ｍ２のものが望ましい。収縮部材２２は、吸収体１２の長手方向（前後方向）Ｙを収縮して吸収体不存在部２１を折り返すために好ましく設けられている。この収縮部材２２の収縮により吸収体不存在部２１がＺ字状に折り返されて（図７（Ａ）（Ｂ）を参照）、便溜め部２０が形成される。この収縮部材２２は、図６に示すように、吸収体１２の長手方向Ｙのうち吸収体不存在部２１の腹側と背側の位置に設けられており、具体的には、長手方向Ｙの前後の位置に設けられている。収縮部材２２の長さと吸収体不存在部２１の長さとの関係は特に限定されず、収縮時の収縮部材２２が吸収体不存在部２１の長さよりも長い長さで設けられていても短い長さで設けられていてもよい。
【００６４】
収縮部材２２としては、吸収体不存在部２１を折り返すことができる機能を有するものであれば特に限定されないが、例えば図７のように配置されてその機能を発揮する収縮テープ（収縮部材と同じ符号２２を使う。）を好ましく挙げることができる。収縮テープ２２を用いる場合、その収縮テープ２２は、透液性トップシート１１の身体側にあって、立体ギャザー１４の吸収体側の根元に設けられていることが好ましい。収縮テープ２２は、吸収体不存在部２１よりも長いことが取付容易性の観点から好ましく、例えば吸収体不存在部２１が長さ５０ｍｍ程度であれば、その長さよりも１０〜２０ｍｍ程度長いものであることが好ましい。そうした収縮テープ２２を、図６に示すように、吸収体不存在部２１の前後を超えるように配置し、収縮テープ２２の長手方向Ｙの両端部を透液性トップシート１１にヒートシール等で接着して設ける。このように設けることにより、図７に示すように、収縮テープ２２の収縮作用で吸収体不存在部２１が折り返されて便溜め部２０が形成される。なお、収縮テープ２２の幅は１０〜１５ｍｍ程度であることが好ましい。図７及び図１１中、符号２３は折り返された部分の長さを示す。
【００６５】
なお、収縮部材２２としては、収縮テープ以外でもよく、例えば、弾性糸ゴム等を挙げることができる。
【００６６】
＜乳幼児用の使い捨ておむつの例＞
図８は、乳幼児用として好ましい使い捨ておむつの形態を示す展開平面図である。吸収体不存在部２１は、吸収体１２のうち長手方向Ｙの中央部Ｃから背側に延びた位置Ｂまでの部位に設けられている。この使い捨ておむつは、離乳食を食べる前の乳幼児のように、便が柔らかい場合に好ましく用いられる。この構造形態により、装着時に吸収体不存在部２１が折り返されてなる便溜め部２０が、長手方向Ｙの中央部Ｃを腹側端縁２４とする部位に設けられるので、背側に流動しやすい軟便を排出する乳幼児に好ましく適用できる。なお、このときの便溜め部２０は、長手方向Ｙの中央部Ｃを腹側端縁２４とし、その腹側端縁２４から背側方向に延びた位置Ｂまでの部位に設けられている
【００６７】
＜幼児用の使い捨ておむつの例＞
図９は、幼児用として好ましい使い捨ておむつの形態を示す展開平面図である。吸収体不存在部２１は、吸収体１２のうち長手方向Ｙの中央部Ｃを跨ぐ部位に設けられている。この使い捨ておむつは、離乳食を食べ始めた後の幼児のように、便がやや固くなった場合に好ましく用いられる。この構造形態により、装着時に吸収体不存在部２１が折り返されてなる便溜め部２０が、長手方向Ｙの中央部Ｃを跨ぐ部位に設けられるので、長手方向Ｙ中央の股間部３に溜まりやすい便を排出する幼児に好ましく適用できる。
【００６８】
［明細書中の用語の説明］
明細書中の以下の用語は、明細書中に特に記載がない限り、以下の意味を有するものである。
【００６９】
「長手方向Ｙ」とは、前後方向Ｙと同義で、腹側（前側）と背側（後側）とを結ぶ方向を意味し、「幅方向Ｘ」とは、長手方向Ｙと直交する方向（左右方向）を意味する。「身体側」とは、オムツ装着時に装着者の身体と接触する側であり、「非身体側」とは、オムツ装着時に装着者の身体と接触しない側であって、身体側の対向面側を指す。また、用語の直後に設けられた括弧内の用語は、同じ意味を示す言い換え用語である。
【００７０】
「厚さ」の測定は特に限定されないが、例えば自動厚さ測定器（ＫＥＳ−Ｇ５、ハンディ圧縮計測プログラム）を用い、荷重：１０ｇｆ／ｃｍ２、及び加圧面積：２ｃｍ２の条件下で自動測定することができる。吸水量は、ＪＩＳ  Ｋ７２２３−１９９６「高吸水性樹脂の吸水量試験方法」によって測定することができる。
【００７１】
なお、試験や測定における環境条件についての記載がない場合、その試験や測定は、標準状態（試験場所は、温度２０±５℃、相対湿度６５％以下）の試験室又は装置内で行うものとする。
【符号の説明】
【００７２】
１  使い捨ておむつ
２  腹側胴回り部
３  股間部
４  背側胴回り部
５  サイドフラップ部
６  係止材
７  ターゲットシート
１０  おむつ本体
１１  透液性トップシート
１２  吸収体
１２Ａ  吸収体の括れ部
１３  不透液性シート
１４  立体ギャザー
１５  ギャザーシート
１６  中間シート
１７  包装シート
１８  外装シート
２０  便溜め部
２１  吸収体不存在部
２２  収縮部材（収縮テープ）
２３  折り返された部分の長さ
２４  腹側端縁
２５  折り返し点
２６  長手方向背側の吸収体不存在部端部
３１  腹側胴回り部のサイドフラップ部
３２  背側胴回り部のサイドフラップ部
３３  腹側胴回り部のエンドフラップ部
３４  背側胴回り部のエンドフラップ部
５１  細長状弾性伸縮部材
５２  防水フィルム
５３  取付部分
５４  突出部分
５５  前後固定部
Ｃ  吸収体の長手方向Ｙの中央部
Ｂ  吸収体の長手方向Ｙの中央部から背側に延びた位置
Ｘ  幅方向
Ｙ  長手方向
【図１】
2018130201.tif 000003
【図２】
2018130201.tif 000004
【図３】
2018130201.tif 000005
【図４】
2018130201.tif 000006
【図５】
2018130201.tif 000007
【図６】
2018130201.tif 000008
【図７】
2018130201.tif 000009
【図８】
2018130201.tif 000010
【図９】
2018130201.tif 000011
【図１０】
2018130201.tif 000012
【図１１】
2018130201.tif 000013